(57)【要約】      （修正有）【課題】高い構造強さがあり、オイルヒュームの室内に引き返すことを塞ぐために、壁との間に密閉性が高く、雨水の逆流をよく避けるフード排煙パイプラインを提供する。【解決手段】フード排煙パイプラインは、引くパイプ１と折り畳みパイプ２を含み、引くパイプ１の壁中に嵌め込まれたチャックエッジ１０１があり、チャックエッジ１０１の壁に近い側の表面に両面テープ１０２が付けてあり、折り畳むパイプ２の一端はチャック部２０１が設置してあり、もう一端は結ぶエッジ２０２がある。チャック部２０１の直径は引くパイプ１の内径より大きく、結ぶエッジ２０２の直径は引くパイプ１の内径より小さい。折り畳むパイプ２は引くパイプ１の中に取り付け、結ぶエッジ２０２は壁の内部側に位置し、チャック部２０１は壁の外側に位置する。チャック部２０１と引くパイプ１の右端面と接触する、引くパイプ１の表面にスチールメッシュカバー４を被る。【選択図】図１
0003201434.tif 000002
【実用新案登録請求の範囲】
【請求項１】
フード排煙パイプラインにおいて、引くパイプと折り畳むパイプを含み、その引くパイプの壁の中に嵌め込まれたチャックエッジがあり、そのチャックエッジの壁に近い側の表面に両面テープを付けてあり、その折り畳むパイプの一端にはチャック部が設けられ、もう一端は結ぶエッジがあり、そのチャック部の直径は引くパイプの内径より大きく、結ぶエッジの直径は引くパイプの内径より小さく、その折り畳むパイプは引くパイプの中に取り付けられ、  結ぶエッジは壁の内部側に位置し、チャック部は壁の外側に位置し、そのチャック部と引くパイプの右端面と接触する、引くパイプの表面にスチールメッシュカバーが被ることを特徴とするフード排煙パイプライン。
【請求項２】
請求項１に記載のフード排煙パイプラインにおいて、その折り畳むパイプと引くパイプは全部PVCプラスチックパイプで、折り畳むパイプはPVCソフトホース、引くパイプはPVC硬質ホースであることを特徴とするフード排煙パイプライン。
【請求項３】
請求項１に記載のフード排煙パイプラインにおいて、引くパイプの壁の外に位置する部分の先端に半円型の雨戸カバーがあり、雨戸カバーと引くパイプとは固定されることを特徴とするフード排煙パイプライン。
【請求項４】
請求項１に記載のフード排煙パイプラインにおいて、結ぶエッジにはフード排煙機と繋げる結び穴が三つ以上あることを特徴とするフード排煙パイプライン。
【考案の詳細な説明】
【技術分野】
【０００１】
本実用新型はフード排煙パイプラインのことを指す。
【背景技術】
【０００２】
フードはよく見られるキッチン設備で、排煙するとき、排煙パイプラインを使う。現有の技術では、排煙パイプラインの構造は単一で、簡単な折りたたみ式のパイプであり、本パイプの材質は柔軟で、取り付ける過程、壁に空けた穴の間圧力を受けたら、よく変形したり破損し、それに、破損後察知することが難しい、オイルヒュームが破れた口から壁中に進入したら、壁表面が黒くなり、壁全体がイエローになる。これが美しくないし、もし排煙穴が小さ過ぎるなら、この種類の排煙パイプラインの取り付けは成功になり難い。
【考案の概要】
【考案が解決しようとする課題】
【０００３】
本実用新型の解決する必要な問題は一種のフード排煙パイプラインを提供する。破損を避けるために、本措置は高い構造強さがあり、オイルヒュームの室内に引き返すことを塞ぐために、本措置は壁との間に密閉性が高い、と同時に、本措置は雨水の逆流をよく避ける。
【課題を解決するための手段】
【０００４】
以上の問題を解決するために、本実用新型は以下の技術方策を取る：フード排煙パイプラインは、引くパイプと折り畳むパイプを含め、その引くパイプの壁中に嵌め込まれた一端の上チャックエッジがあり、そのチャックエッジの壁に近い側の表面に両面テープを付けてあり、その折り畳むパイプの一端はチャック部を設置してあり、もう一端は結ぶエッジがあり、そのチャック部の直径は引くパイプの内径より大きい、結ぶエッジの直径は引くパイプの内径より小さい、その折り畳むパイプは引くパイプの中に取り付け、  結ぶエッジは壁の内部側に位置し、チャック部は壁の外側に位置する、そのチャック部と引くパイプの右端面と接触する、引くパイプの表面にスチールメッシュカバーを被る。
【０００５】
優秀な技術方策として、その折り畳むパイプと引くパイプは全部PVCプラスチックパイプであり、折り畳むパイプはPVCソフトホース、引くパイプはPVC硬質ホースである。
【０００６】
優秀な技術方策として、引くパイプの壁の外に位置する部分の先端に半円型の雨戸カバーがあり、雨戸カバーと引くパイプとのりつけて固定する。
【０００７】
優秀な技術方策として、結ぶエッジの環状設置にはフード排煙機と繋げる結び穴は三つ以上ある。
【考案の効果】
【０００８】
本措置有益な効果は：破損を避けるために、本措置は高い構造強さがあり、オイルヒュームの室内に引き返すことを塞ぐために、本措置は壁との間に密閉性が高い、と同時に、本措置は雨水の逆流をよく避けると同時に、取り付けることが簡単で便利であり、本措置の構造が簡単で、コストが低い、普及するのに相応しい。
【図面の簡単な説明】
【０００９】
【図１】本実用新型の構造見取り図。
【考案を実施するための形態】
【００１０】
本実用新型のメリットと特徴を技術分野の技術者に簡単に理解され、さらに本実用新型の保護範囲にもっと明確に決めるために、これから付図とあわせて本実用新型の優秀な実施例を詳しく説明する。
【００１１】
図面１により、フード排煙パイプラインは、引くパイプ1と折り畳むパイプ２を含め、その引くパイプ１の壁３中に嵌め込まれた一端の上チャックエッジ101があり、そのチャックエッジ101の壁に近い側の表面に両面テープ102を付けてあり、その折り畳むパイプ２の一端はチャック部201を設置してあり、もう一端は結ぶエッジ202があり、そのチャック部201の直径は引くパイプ１の内径より大きい、結ぶエッジ202の直径は引くパイプ１の内径より小さい、その折り畳むパイプ２は引くパイプ１の中に取り付け、結ぶエッジ202は壁３の内部側に位置し、チャック部201は壁３の外側に位置する、そのチャック部201と引くパイプ１の右端面と接触する、引くパイプ１の表面にスチールメッシュカバー４を被る。
【００１２】
本実用新型の優秀な実例で、その折り畳むパイプ２と引くパイプ１は全部PVCプラスチックパイプで、折り畳むパイプはPVCソフトホース、引くパイプはPVC硬質ホースである。
【００１３】
本実用新型の優秀な実例で、引くパイプ１の壁３の外に位置する部分の先端に半円型の雨戸カバー５があり、雨戸カバー５と引くパイプ１とのりつけて固定する。
【００１４】
本実用新型の優秀な実例で、結ぶエッジ202の環状設置にはフード排煙機と繋げる結び穴は三つ以上ある。（見取り図がない）
【００１５】
本措置有益な効果は：破損を避けるために、本措置は高い構造強さがあり、オイルヒュームの室内に引き返すことを塞ぐために、本措置は壁との間に密閉性が高い、と同時に、本措置は雨水の逆流をよく避けると同時に、取り付けることが簡単で便利であり、本措置の構造が簡単で、コストが低い、普及するのに相応しい。
【００１６】
以上はただ本実用新型の具代的な実施方法であるが、本実用新型の保護範囲はこれだけではない、あらゆる創造性付きな労働でなければ、想像できた変化と取替えは、皆本実用新型の保護範囲以内に属するべきである。だから、本実用新型の保護範囲は権利要求書が限定した保護範囲を基準にするべきである。
【符号の説明】
【００１７】
1  引くパイプ
２  折り畳むパイプ
３  壁
４  スチールメッシュカバー
【図１】
0003201434.tif 000003